(57)【要約】【課題】ユーザが電子機器に対する情報の入力を行う際の操作性を向上させる。【解決手段】画像形成装置の装置本体から液晶モニタ７１０が取り外されると、液晶モニタ７１０が取り外される前に液晶モニタ７１０に表示されていた表示画面（通常画面）が縮小（画面の幅方向における縮小）されて表示されるとともに画面の左側に寄せられるようになる。また、この左側への寄せによって生じる空白部に、ハードキーを画像化したハードキー画像が表示される。また、取り外されていた液晶モニタ７１０が画像形成装置の装置本体に取り付けられると、ハードキー画像が消えるとともに通常画面が拡大される。【選択図】図３
2014017546.tif 000002
【特許請求の範囲】
【請求項１】
装置本体と、
前記装置本体に設けられるとともに、当該装置本体に対し変位可能に又は当該装置本体から取り外し可能に設けられた表示装置と、
前記装置本体に設けられ、ユーザにより押圧された際に沈む押圧部を複数有し、予め定められた情報をユーザから受け付ける受け付け部と、
前記装置本体に対する前記表示装置の変位又は当該装置本体からの当該表示装置の取り外しを検知する検知手段と、
を備え、
前記装置本体に対する前記表示装置の変位又は当該装置本体からの当該表示装置の取り外しが前記検知手段にて検知された場合に、当該表示装置に、前記予め定められた情報をユーザから受け付けるための画面が表示されることを特徴とする電子機器。
【請求項２】
前記装置本体に対する前記表示装置の変位又は当該装置本体からの当該表示装置の取り外しが前記検知手段にて検知された場合、当該表示装置には、前記受け付け部の状態を画像化したものが前記受け付けるための画面として表示されることを特徴とする請求項１記載の電子機器。
【請求項３】
前記装置本体に対する前記表示装置の変位又は当該装置本体からの当該表示装置の取り外しが前記検知手段にて検知される前、当該表示装置には、予め定められた画面が表示され、
前記装置本体に対する前記表示装置の変位又は当該装置本体からの当該表示装置の取り外しが前記検知手段にて検知された場合、当該表示装置では、前記予め定められた画面が縮小されることを特徴とする請求項１又は２に記載の電子機器。
【請求項４】
前記装置本体には、前記表示装置よりも小さい第２の表示装置が設けられていることを特徴とする請求項１乃至３の何れかに記載の電子機器。
【請求項５】
前記表示装置は、前記装置本体に対する当該表示装置の変位又は当該装置本体からの当該表示装置の取り外しが前記検知手段にて検知され、且つ、ユーザからの許可があった場合に、前記受け付けるための画面を表示することを特徴とする請求項１乃至４の何れかに記載の電子機器。
【請求項６】
前記受け付け部にて前記予め定められた情報が受け付けられた場合に、当該予め定められた情報に応じた処理を実行する処理手段を更に備え、
前記処理手段は、前記表示装置の前記変位がなされているときに又は前記装置本体から当該表示装置が取り外されているときに前記受け付け部による前記予め定められた情報の受け付けがなされた場合、当該予め定められた情報に応じた前記処理を実行しないことを特徴とする請求項１乃至５の何れかに記載の電子機器。
【請求項７】
装置本体と、
前記装置本体に設けられ、ユーザにより押圧された際に沈む押圧部を複数有し、予め定められた情報をユーザから受け付ける受け付け部と、
前記装置本体に取り付け可能に設けられ又は当該装置本体に対し変位可能に設けられ、前記予め定められた情報をユーザから受け付けるための画面を表示する表示装置と、
前記装置本体に対する前記表示装置の取り付け又は当該装置本体に対する当該表示装置の変位を検知する検知手段と、
を備え、
前記装置本体に対する前記表示装置の取り付け又は当該装置本体に対する当該表示装置の変位が前記検知手段にて検知された場合に、前記予め定められた情報をユーザから受け付けるための前記画面が当該表示装置から消去されることを特徴とする電子機器。
【請求項８】
装置本体と、当該装置本体に設けられるとともに当該装置本体に対し変位可能に又は当該装置本体から取り外し可能に設けられた表示装置と、当該装置本体に設けられユーザにより押圧された際に沈む押圧部を複数有し予め定められた情報をユーザから受け付ける受け付け部と、当該装置本体に対する当該表示装置の変位又は当該装置本体からの当該表示装置の取り外しを検知する検知手段と、を備える電子機構を制御するコンピュータ装置に、
前記検知手段による検知結果を取得する取得機能と、
前記装置本体に対する前記表示装置の変位又は当該装置本体からの当該表示装置の取り外しがなされたとの検知結果が前記取得機能により取得された場合に、当該表示装置に、前記予め定められた情報をユーザから受け付けるための画面を表示させる表示機能と、
を実現させるためのプログラム。
【請求項９】
装置本体と、当該装置本体に設けられユーザにより押圧された際に沈む押圧部を複数有し予め定められた情報をユーザから受け付ける受け付け部と、当該装置本体に取り付け可能に設けられ又は当該装置本体に対し変位可能に設けられ当該予め定められた情報をユーザから受け付けるための画面を表示する表示装置と、当該装置本体に対する当該表示装置の取り付け又は当該装置本体に対する当該表示装置の変位を検知する検知手段と、を備える電子機構を制御するコンピュータ装置に、
前記検知手段による検知結果を取得する取得機能と、
前記装置本体に対する前記表示装置の取り付け又は当該装置本体に対する当該表示装置の変位がなされたとの検知結果が前記取得機能により取得された場合に、前記予め定められた情報をユーザから受け付けるための前記画面であって当該表示装置に表示されている当該画面を消去させる消去機能と、
を実現させるためのプログラム。
【発明の詳細な説明】
【技術分野】
【０００１】
本発明は、電子機器およびプログラムに関する。
【背景技術】
【０００２】
ハードキー群のいずれかのキーが壊れて操作入力不能になった場合に、ハードキー群と同じキーパターンが含まれた表示パターンがメモリから読出され、液晶表示部にこの表示パターンが表示される技術が存在する（例えば、特許文献１参照）。
また、自装置の操作パネルに配置されているハードキーと、別の画像処理装置に配置されるハードキーとを比較し、自装置には配置されていないが別の画像処理装置には配置されているハードキーが存在する場合には、自装置の液晶表示部に、このハードキーに対応するソフトキーを表示させる技術が存在する（例えば、特許文献２参照）。
【先行技術文献】
【特許文献】
【０００３】
【特許文献１】特開平７−２６１９０４号公報
【特許文献２】特開２００７−１５０７４９号公報
【発明の概要】
【発明が解決しようとする課題】
【０００４】
本発明の目的は、ユーザが電子機器に対する情報の入力を行う際の操作性を向上させることにある。
【課題を解決するための手段】
【０００５】
請求項１に記載の発明は、装置本体と、前記装置本体に設けられるとともに、当該装置本体に対し変位可能に又は当該装置本体から取り外し可能に設けられた表示装置と、前記装置本体に設けられ、ユーザにより押圧された際に沈む押圧部を複数有し、予め定められた情報をユーザから受け付ける受け付け部と、前記装置本体に対する前記表示装置の変位又は当該装置本体からの当該表示装置の取り外しを検知する検知手段と、を備え、前記装置本体に対する前記表示装置の変位又は当該装置本体からの当該表示装置の取り外しが前記検知手段にて検知された場合に、当該表示装置に、前記予め定められた情報をユーザから受け付けるための画面が表示されることを特徴とする電子機器である。
請求項２に記載の発明は、前記装置本体に対する前記表示装置の変位又は当該装置本体からの当該表示装置の取り外しが前記検知手段にて検知された場合、当該表示装置には、前記受け付け部の状態を画像化したものが前記受け付けるための画面として表示されることを特徴とする請求項１記載の電子機器である。
請求項３に記載の発明は、前記装置本体に対する前記表示装置の変位又は当該装置本体からの当該表示装置の取り外しが前記検知手段にて検知される前、当該表示装置には、予め定められた画面が表示され、前記装置本体に対する前記表示装置の変位又は当該装置本体からの当該表示装置の取り外しが前記検知手段にて検知された場合、当該表示装置では、前記予め定められた画面が縮小されることを特徴とする請求項１又は２に記載の電子機器である。
請求項４に記載の発明は、前記装置本体には、前記表示装置よりも小さい第２の表示装置が設けられていることを特徴とする請求項１乃至３の何れかに記載の電子機器である。
請求項５に記載の発明は、前記表示装置は、前記装置本体に対する当該表示装置の変位又は当該装置本体からの当該表示装置の取り外しが前記検知手段にて検知され、且つ、ユーザからの許可があった場合に、前記受け付けるための画面を表示することを特徴とする請求項１乃至４の何れかに記載の電子機器である。
請求項６に記載の発明は、前記受け付け部にて前記予め定められた情報が受け付けられた場合に、当該予め定められた情報に応じた処理を実行する処理手段を更に備え、前記処理手段は、前記表示装置の前記変位がなされているときに又は前記装置本体から当該表示装置が取り外されているときに前記受け付け部による前記予め定められた情報の受け付けがなされた場合、当該予め定められた情報に応じた前記処理を実行しないことを特徴とする請求項１乃至５の何れかに記載の電子機器である。
請求項７に記載の発明は、装置本体と、前記装置本体に設けられ、ユーザにより押圧された際に沈む押圧部を複数有し、予め定められた情報をユーザから受け付ける受け付け部と、前記装置本体に取り付け可能に設けられ又は当該装置本体に対し変位可能に設けられ、前記予め定められた情報をユーザから受け付けるための画面を表示する表示装置と、前記装置本体に対する前記表示装置の取り付け又は当該装置本体に対する当該表示装置の変位を検知する検知手段と、を備え、前記装置本体に対する前記表示装置の取り付け又は当該装置本体に対する当該表示装置の変位が前記検知手段にて検知された場合に、前記予め定められた情報をユーザから受け付けるための前記画面が当該表示装置から消去されることを特徴とする電子機器である。
請求項８に記載の発明は、装置本体と、当該装置本体に設けられるとともに当該装置本体に対し変位可能に又は当該装置本体から取り外し可能に設けられた表示装置と、当該装置本体に設けられユーザにより押圧された際に沈む押圧部を複数有し予め定められた情報をユーザから受け付ける受け付け部と、当該装置本体に対する当該表示装置の変位又は当該装置本体からの当該表示装置の取り外しを検知する検知手段と、を備える電子機構を制御するコンピュータ装置に、前記検知手段による検知結果を取得する取得機能と、前記装置本体に対する前記表示装置の変位又は当該装置本体からの当該表示装置の取り外しがなされたとの検知結果が前記取得機能により取得された場合に、当該表示装置に、前記予め定められた情報をユーザから受け付けるための画面を表示させる表示機能と、を実現させるためのプログラムである。
請求項９に記載の発明は、装置本体と、当該装置本体に設けられユーザにより押圧された際に沈む押圧部を複数有し予め定められた情報をユーザから受け付ける受け付け部と、当該装置本体に取り付け可能に設けられ又は当該装置本体に対し変位可能に設けられ当該予め定められた情報をユーザから受け付けるための画面を表示する表示装置と、当該装置本体に対する当該表示装置の取り付け又は当該装置本体に対する当該表示装置の変位を検知する検知手段と、を備える電子機構を制御するコンピュータ装置に、前記検知手段による検知結果を取得する取得機能と、前記装置本体に対する前記表示装置の取り付け又は当該装置本体に対する当該表示装置の変位がなされたとの検知結果が前記取得機能により取得された場合に、前記予め定められた情報をユーザから受け付けるための前記画面であって当該表示装置に表示されている当該画面を消去させる消去機能と、を実現させるためのプログラムである。
【発明の効果】
【０００６】
請求項１の発明によれば、本構成を有していない場合に比較して、ユーザが電子機器に対する情報の入力を行う際の操作性を向上させることができる。
請求項２の発明によれば、受け付け部の状態を画像化したものが表示されない場合に比べ、ユーザが電子機器に対する情報の入力を行う際の操作性を向上させることができる。
請求項３の発明によれば、装置本体に対する表示装置の変位等がなされる前に表示装置に表示されていた画面と予め定められた情報をユーザから受け付けるための画面の２画面を表示装置に表示することができるようになる。
請求項４の発明によれば、表示装置が装置本体から取り外されている場合でも、ユーザが装置本体側から情報を取得することができるようになる。
請求項５の発明によれば、予め定められた情報を受け付けるための画面の表示装置における表示を望まないユーザの利便利を高めることが可能となる。
請求項６の発明によれば、一のユーザが表示装置に対する操作を行い他のユーザが装置本体に対する操作を行う場合に、この一のユーザの利便性を高めることができる。
請求項７の発明によれば、本構成を有していない場合に比較して、ユーザが電子機器に対する情報の入力を行う際の操作性を向上させることができる。
請求項８の発明によれば、本構成を有していない場合に比較して、ユーザが電子機器に対する情報の入力を行う際の操作性を向上させることができる。
請求項９の発明によれば、本構成を有していない場合に比較して、ユーザが電子機器に対する情報の入力を行う際の操作性を向上させることができる。
【図面の簡単な説明】
【０００７】
【図１】本実施の形態が適用される画像形成装置を示した図である。
【図２】ＵＩの正面図である。
【図３】液晶モニタが画像形成装置の装置本体から取り外された後の液晶モニタの状態を示した図である。
【図４】液晶モニタが取り外される際の処理の一例を示した図である。
【図５】液晶モニタが取り外される際の処理の一例を示した図である。
【図６】液晶モニタと装置本体との接続を説明するための図である。
【図７】液晶モニタと装置本体との接続を説明するための図である。
【図８】ＵＩの他の構成例を示した図である。
【図９】ＵＩの他の構成例を示した図である。
【図１０】図１における矢印Ｘ方向から画像形成装置を眺めた場合の図である。
【発明を実施するための形態】
【０００８】
以下、添付図面を参照して、本発明を実施するための形態について説明する。
図１は、本実施の形態が適用される画像形成装置１を示した図である。
電子機器の一例としてのこの画像形成装置１には、用紙Ｐに画像を形成する画像形成ユニット７０、スキャンによって画像を読み取るスキャナ装置２００、スキャナ装置２００に対して原稿を搬送する原稿送り装置１００が設けられている。
【０００９】
画像形成ユニット７０には、用紙Ｐにトナー像を形成する画像形成部１０、画像形成部１０により用紙Ｐ上に形成されたトナー像を加熱および加圧しこのトナー像を用紙Ｐに定着する定着部２０、および、画像形成部１０に用紙Ｐを供給する用紙供給部３０が設けられている。
【００１０】
画像形成部１０は、感光体ドラム１１、帯電装置１２、露光装置１３、現像装置１４、転写装置１５、およびクリーニング装置１６を備える。これらのうち、感光体ドラム１１は、その外周面に感光層を備えており、図中矢印方向に回転する。帯電装置１２は、回転する感光体ドラム１１を予め定められた電位に帯電する。露光装置１３は、帯電装置１２によって予め定められた電位に帯電した感光体ドラム１１を選択的に露光して静電潜像を形成する。
【００１１】
また、現像装置１４は、感光体ドラム１１上に形成された静電潜像をトナーで現像してトナー像を形成する。転写装置１５は、感光体ドラム１１上に形成されたトナー像を、用紙供給部３０によって供給される用紙Ｐに静電転写する。クリーニング装置１６は、転写後に感光体ドラム１１上に残留するトナー等を除去する。なお、本明細書では、以下、感光体ドラム１１と転写装置１５との対向部であって、転写装置１５を用いて感光体ドラム１１上のトナー像を用紙Ｐに転写する位置を転写部Ｔｐと呼ぶ。
【００１２】
用紙供給部３０は、異なるサイズの用紙Ｐを画像形成部１０に対して供給可能なように第１給紙部３１〜第３給紙部３３を備えている。ここで、第１給紙部３１〜第３給紙部３３は同様に構成されている。
第１給紙部３１を一例に説明すると、第１給紙部３１は、用紙収容部４１、引き込みロール４３、および、捌き機構４４を備える。これらのうち、用紙収容部４１は、直方体状の形状を有しておりその内部に用紙を収容する。引き込みロール４３は、用紙収容部４１に収容される用紙束のうち最上位の用紙に接触し、この最上位の用紙を捌き機構４４側に向けて送り出す。捌き機構４４は、例えば回転可能に配設されるフィードロールと回転が制限されたリタードロールとによって構成され、引き込みロール４３にて送り出された用紙を一枚ずつに捌く。
【００１３】
また、用紙供給部３０には、第１搬送ロール４５、第２搬送ロール５５、および、第３搬送ロール６５が設けられている。第１搬送ロール４５は、一対のロール状部材から構成され、第１給紙部３１の捌き機構４４から送られてくる用紙を下流側へとさらに搬送する。第２搬送ロール５５も、一対のロール状部材から構成され、第２給紙部３２の捌き機構４４から送られてくる用紙を第１搬送ロール４５に向けて搬送する。さらに、第３搬送ロール６５も、一対のロール状部材から構成され、第３給紙部３３の捌き機構４４から送られてくる用紙を第２搬送ロール５５に向けて搬送する。
【００１４】
第１搬送ロール４５の下流側に設けられた用紙経路８１１には、プレレジロール８５１およびレジストレーションロール(レジロール)８５２が取り付けられている。プレレジロール８５１は、第１搬送ロール４５を介して搬送されてきた用紙をさらに下流側に向けて搬送するとともに、レジロール８５２と協同してループ形成を行う。レジロール８５２は、一旦停止することにより用紙の搬送を一時的に止め、タイミングを合わせて回転を再開することにより、転写部Ｔｐに対してレジストレーション調整を施しながら用紙を供給する。
【００１５】
また、画像形成装置１には、不図示のＰＣやスキャナ装置２００等からの画像データを受信する受信部４００が設けられている。また、受信部４００にて受信された画像データに画像処理を施した後に露光装置１３に画像データを出力する画像処理部６００が設けられている。さらに、ユーザからの指示の受け付け、および、ユーザに対するメッセージ等の表示を行うユーザインタフェース(ＵＩ)７００が設けられている。また、画像形成部１０、定着部２０、用紙供給部３０、ＵＩ７００の動作を制御する制御部５００が設けられている。
【００１６】
なお、制御部５００は、ＣＰＵ（Central Processing Unit）、ＲＯＭ（Read Only Memory）、ＲＡＭ（Random Access Memory）、およびＨＤＤ（Hard Disk Drive）（何れも不図示）により構成されている。ＣＰＵでは、後述する処理の処理プログラムが実行される。ＲＯＭには、各種プログラム、各種テーブル、パラメータ等が記憶されている。ＲＡＭは、ＣＰＵによる各種プログラムの実行時におけるワークエリア等として用いられる。
【００１７】
画像形成装置１の動作について説明する。
本実施形態の画像形成装置１では、まず、引き込みロール４３、捌き機構４４、第１搬送ロール４５、第２搬送ロール５５、第３搬送ロール６５、プレレジロール８５１、レジロール８５２により構成された用紙供給部３０により用紙Ｐの搬送が開始される。具体的には、引き込みロール４３によって、第１給紙部３１〜第３給紙部３３の何れかに設けられた用紙収容部４１から用紙Ｐの送り出しが行われる。次いで、プレレジロール８５１、レジロール８５２などによって、この用紙Ｐが転写部Ｔｐまで搬送される。
【００１８】
一方、画像形成部１０では、帯電装置１２によって帯電された感光体ドラム１１の表面が露光装置１３により露光され、感光体ドラム１１の表面に静電潜像が形成される。そして、形成された静電潜像は現像装置１４によってトナー像として現像される。その後、感光体ドラム１１上に形成されたトナー像は、転写部Ｔｐにおいて、レジロール８５２により搬送されてきた用紙Ｐに転写される。その後、トナー像が転写された用紙Ｐは、定着部２０において定着処理を受ける。その後、この用紙Ｐは、画像形成装置１の外部に設けられた用紙積載部９７上に積載される。
【００１９】
図２は、ＵＩ７００の正面図である。
本実施形態のＵＩ７００には、同図に示すように、表示装置の一例としての液晶モニタ７１０が設けられている。また、ＵＩ７００には、情報の入力が行われる際にユーザにより押圧される複数の押圧ボタンを備え、予め定められた情報をユーザから受け付ける受け付け部として機能するハードキー７５０が設けられている。なお、本実施形態の液晶モニタ７１０は、いわゆるタッチパネル方式のモニタにより構成されており、ユーザがパネルの表面を触ることにより液晶モニタ７１０に対し情報が入力されるようになっている。
【００２０】
また、本実施形態では、画像形成装置１の装置本体に対して液晶モニタ７１０が着脱できるようになっている。また、液晶モニタ７１０の装置本体からの取り外しを検知する検知手段として機能する検知センサＳＥが設けられている。
【００２１】
ここで、画像形成装置１は様々なユーザが使用するものであり、例えば車いすを利用しているユーザが画像形成装置１を使用する場合もある。ところで、車いすのユーザは画像形成装置１に対して横向きに接しなければならず、この場合、姿勢を保つのが難しくなる。ここで、本実施形態のように、液晶モニタ７１０を取り外せる場合、ユーザは、より楽な姿勢で情報の入力を行うことができるようになる。
【００２２】
また、画像形成装置１にてコピーなどの処理が行われている際に、ユーザが画像形成装置１の前で待機することがあるが、この場合、画像形成装置１を使用しようとする他のユーザは、画像形成装置１に対する操作を行うことができなくなってしまう。本実施形態のように、液晶モニタ７１０を取り外せる場合、画像形成装置１の前にユーザがいる場合でも、他のユーザは、取り外された状態の液晶モニタ７１０を操作することで、コピーの部数の入力やコピーのモードの入力など、画像形成装置１に対する情報の入力を行うことができるようになる。
【００２３】
なお、ハードキー７５０を含めＵＩ７００の全体を、画像形成装置１の装置本体から取り外せるようにすることも可能ではあるが、この場合、取り外した状態のＵＩ７００は重くなり、操作性が悪くなる。このため、本実施形態では、ＵＩ７００の一部である液晶モニタ７１０を取り外せる構成としている。なお、液晶モニタ７１０の制御は、画像形成装置１の装置本体側に設けられた制御部５００により行ってもよいし、制御部５００とは別に液晶モニタ７１０内に制御部を設け、この制御部により液晶モニタ７１０を制御するようにしてもよい。
【００２４】
ここで、図２に示す例では、いわゆるコピーモード時に表示される表示画面が液晶モニタ７１０に表示されている。この表示画面には、５つのタブ７１１が表示されているとともに、タブ７１１のそれぞれに、「コピー」、「画質調整」、「読取方法」、「出力形式」、「ジョブ編集」という文字情報が表示されている。
【００２５】
ユーザは、５つのタブ７１１のいずれかを押圧することで、各タブ７１１に表示されている項目についての設定を行うことができるようになる。なお、図２では、「コピー」のタブ７１１がユーザにより選択されており、これにより、表示画面には、「倍率選択」を可能とする表示ボタン、「用紙選択」を可能とする表示ボタン、「カラーモード」の選択を可能とする表示ボタンが表示されている。また、表示画面の右下には、コピーの濃度の設定に用いられるボタンが表示されている。
【００２６】
次にハードキー７５０の構成について説明する。
ハードキー７５０には、図２に示すように、ユーザにより押圧されることで下方に沈む押圧ボタン（押圧部）が複数設けられている。また、ハードキー７５０には、これらの押圧ボタンを下方から支持する支持台７５１が設けられている。また、本実施形態のハードキー７５０では、数字の入力に用いられるテンキー７６０が設けられている。ここで、このテンキー７６０には、「１」〜「９」などの数字が上面に付された押圧ボタンが設けられている。
【００２７】
また、ハードキー７５０には、支持台７５１の上に且つテンキー７６０よりも図中下方に、コピーなどの処理の開始の指示をユーザからの受け付けるためのスタートボタン７７０が設けられている。さらに、テンキー７６０とスタートボタン７７０との間には、ユーザがテンキー７６０を介して入力した情報のリセット（クリア）に用いられるリセットボタン７８２が設けられている。さらに、スタートボタン７７０が押されたことによって開始された処理が中断や中止される際にユーザにより押圧されるストップボタン７８３が設けられている。
【００２８】
図３は、液晶モニタ７１０が画像形成装置１の装置本体から取り外された後の液晶モニタ７１０の状態を示した図である。
同図に示すように、液晶モニタ７１０が取り外されると、液晶モニタ７１０が取り外される前に液晶モニタ７１０に表示されていた表示画面（図２にて示した表示画面、以下、「通常画面」と称することがある）が縮小（画面の幅方向における縮小）されて表示されるとともに画面の左側に寄せられるようになる。
【００２９】
そして、本実施形態では、この左側への寄せによって生じる空白部に、ハードキー７５０を画像化したもの（以下、「ハードキー画像」と称する）が表示される。なお、装置本体に設けられたハードキー７５０（図２参照）には、テンキー７６０などの他に、テンキー７６０などよりも使用頻度の低い節電ボタンなどの他の押圧ボタン（不図示）も設けられているが、本実施形態では、ハードキー画像を液晶モニタ７１０に表示するに際し、テンキー７６０など、押圧ボタンのうちの使用頻度の高い一部の押圧ボタンを液晶モニタ７１０に表示するようにしている。これにより、液晶モニタ７１０の画面が見にくくなるなどの不具合が生じにくくなる。
【００３０】
なお、本実施形態では、液晶モニタ７１０が取り外された際、上記のように通常画面を縮小し、ハードキー画像を表示するためのスペースを形成したが、通常画面中に含まれている複数の表示項目の一部を削ることで、ハードキー画像を表示するためのスペースを形成するようにしてもよい。また、ハードキー画像を表示するに際し、画像形成装置１の装置本体側に設けられたハードキー７５０の状態をそのままイメージ化（画像化）したものを原寸大で液晶モニタ７１０に表示してもよいし、そのままイメージ化しつつ全体を縮小したものを表示するようにしてもよい。
【００３１】
また、例えば、ハードキー画像を表示する際、複数設けられた押圧ボタンの配列を、装置本体に実際に設置されている押圧ボタンの配列とは異ならせてもよい。また、ハードキー画像を表示するに際し、ハードキー画像の配置位置を装置本体における実際の配置位置とは異ならせることもできる。例えば、図３に示す態様ではハードキー画像が通常画面の右側に配置されているが、ハードキー画像を表示するに際しては、例えば、通常画面の上部に且つ横長に、ハードキー画像を表示することもできる。
【００３２】
なお、操作のしやすさという観点からは、装置本体における液晶モニタ７１０とハードキー７５０との配列関係と、取り外された液晶モニタ７１０における通常画面とハードキー画像との配列関係とを一致させておくことがよい。
本実施形態の場合、装置本体では、図２に示すように、液晶モニタ７１０とハードキー７５０とが横方向において互いに隣り合っているとともに、図中左側に液晶モニタ７１０が位置し、図中右側にハードキー７５０が位置している。また、取り外された後の液晶モニタ７１０においても、図３に示すように、通常画面とハードキー画像とが横方向において互いに隣り合っているとともに、図中左側に通常画面が位置し、図中右側にハードキー画像が位置している。このように配列が一致する場合、配列が変化する場合に比べ、ユーザは、取り外された後の液晶モニタ７１０に対する操作を行いやすくなる。
【００３３】
ここで、液晶モニタ７１０が取り外された際、液晶モニタ７１０上に図２にて示した画面（通常画面）のみが表示されている場合、画像形成装置１に対する情報の入力をユーザは行いにくくなるおそれがある。例えば、コピー時に部数の入力をユーザが行うときがあるが、液晶モニタ７１０に上記ハードキー画像が表示されないと、画像形成装置１の装置本体側に設けられたハードキー７５０を操作する必要が生じる。また、例えば、コピーのスタート時にも、装置本体側のハードキー７５０を操作する必要が生じる。
【００３４】
このため、本実施形態では、液晶モニタ７１０が取り外された際、それまでに表示されていた事項に加えハードキー７５０も画像化したうえで表示するようにしている。この場合、液晶モニタ７１０と装置本体側のハードキー７５０の２箇所に操作部が分散されず、液晶モニタ７１０の一箇所に操作部が集約されるようになる。
【００３５】
なお、上記では、液晶モニタ７１０が取り外される際の処理を説明したが、取り外されている液晶モニタ７１０が画像形成装置１の装置本体に装着される場合（液晶モニタ７１０の装着が検知センサＳＥにより検知された場合）は、液晶モニタ７１０に表示されていたハードキー画像が消える。付言すると、本実施形態では、制御部５００が、液晶モニタ７１０が装置本体に取り付けられたとの検知結果を検知センサＳＥから取得した場合、制御部５００は、液晶モニタ７１０に表示されていたハードキー画像を消去する。
【００３６】
液晶モニタ７１０が画像形成装置１の装置本体に装着された後もハードキー画像が表示されたままだと、ハードキー画像とハードキー７５０とが並んだ状態が発生し（同じ機能を有したものが２つ並列配置され）、ユーザが入力操作を行いにくくなってしまう。このため、本実施形態では、上記のとおり、液晶モニタ７１０が画像形成装置１の装置本体に装着された場合には、ハードキー画像を消去する処理を行う。より具体的に説明すると、液晶モニタ７１０が画像形成装置１の装置本体に装着された場合、ハードキー画像の消去を行うとともに、液晶モニタ７１０の幅方向において縮小して表示していた通常画面を、もとの状態に戻す（液晶モニタ７１０の幅方向に拡大する）。
【００３７】
ここで、液晶モニタ７１０の装置本体からの取り外しは様々なタイミングで実施される。例えば、図４（液晶モニタ７１０が取り外される際の処理の一例を示した図）の（Ａ）に示すように、節電中に、液晶モニタ７１０が取り外されることがあり（ステップ１０１）、この場合は、まず、制御部５００が、液晶モニタ７１０が取り外されたとの検知結果を検知センサＳＥから取得する。その後、制御部５００は、節電の解除を行い（ステップ１０２）、その後、液晶モニタ７１０上に、メニュー画面（初期画面）、および、ハードキー画像を表示する（ステップ１０３）。
【００３８】
また、図４（Ｂ）に示すように、メニュー画面（初期画面）が液晶モニタ７１０に既に表示されているときに、液晶モニタ７１０が取り外されることがあり（ステップ２０１）、この場合は、液晶モニタ７１０上に、メニュー画面（初期画面）が引き続き表示されるとともに、ハードキー画像が追加されて表示されるようになる（ステップ２０２）。
【００３９】
図５（液晶モニタ７１０が取り外される際の処理の一例を示した図）を参照し、他の処理例をさらに説明する。
図２を用い上記にて説明したが、ユーザがコピーを行う際に表示される「コピー画面」が表示されている際に、液晶モニタ７１０が取り外される場合がある（図５（Ａ）のステップ３０１参照）。この場合は、図３にて示したとおり、コピー画面が液晶モニタ７１０に引き続き表示され、また、ハードキー画像が追加されて表示されるようになる（ステップ３０２）。
【００４０】
また、図５の（Ｂ）に示す処理を行なうこともできる。この処理例では、節電中に液晶モニタ７１０が取り外される（ステップ４０１）。その後、ユーザの認証に用いられる認証用画面（パスワードの入力をユーザに促すための画面）が液晶モニタ７１０に表示される（ステップ４０２）。そして、パスワードの入力があったか否かが確認され（ステップ４０３）、パスワードの入力があったことが確認された場合、メニュー画面（初期画面）およびハードキー画像が液晶モニタ７１０に表示される（ステップ４０４）。
なお、ステップ４０２の後にユーザにより行われるパスワードの入力は、装置本体にあるハードキー７５０により行われるようにしてもよいし、ハードキー画像を液晶モニタ７１０に表示するようにし、この液晶モニタ７１０を介して行われるようにしてもよい。
【００４１】
なお、上記ステップ１０３、ステップ２０２、ステップ３０２、ステップ４０４にて、液晶モニタ７１０上に表示されるハードキー画像では、液晶モニタ７１０上に表示される通常画面（メニュー画面やコピー画面などの表示画面）に関連した押圧ボタンのみを表示するようにしてもよい。例えば、コピーの部数の入力をユーザに促すための画面が通常画面として表示されているときには、スタートボタンやストップボタンの表示は省略し、テンキーとクリアボタンのみを表示することができる。
【００４２】
なお、画像形成装置１の装置本体から取り外された液晶モニタ７１０とこの装置本体とは、図６（液晶モニタ７１０と装置本体との接続を説明するための図）に示すように、無線通信回線を介して接続することができる。無線通信回線としては、Ｗｉ−Ｆｉ（登録商標）（Wireless Fidelity）、Bluetooth（登録商標）等の既存の方式による回線を挙げることができる。
【００４３】
なお、液晶モニタ７１０と装置本体とを無線通信回線を介して接続する場合は、液晶モニタ７１０が装置本体から予め定められた距離離れた場合に、液晶モニタ７１０および装置本体の少なくとも一方から警告音または音声が発せられるにするとよい。このような処理を行う場合、液晶モニタ７１０の盗難が起こりにくくなる。また、例えば、液晶モニタ７１０と装置本体との間における通信が確保可能な範囲に液晶モニタ７１０を留めておけるようになる。なお、液晶モニタ７１０が装置本体から予め定められた距離離れたか否かは、例えば通信時の信号の強度により判断することができる。
【００４４】
また、画像形成装置１の装置本体から取り外された液晶モニタ７１０と装置本体とは、図７（液晶モニタ７１０と装置本体との接続を説明するための図）に示すように、ケーブル８００を用い有線で接続するようにしてもよい。なお、このようにケーブル８００で液晶モニタ７１０と装置本体とを接続する場合、装置本体側に、弛んだケーブル８００を巻き取る巻き取り機構を設けておくことが好ましい。
【００４５】
なお、上記では、ユーザが情報を入力する際の液晶モニタ７１０の表示例を説明したが、コピーなどの処理が開始された後は、液晶モニタ７１０上に、処理の進捗状況を表示することが好ましい。このような表示処理を行う場合、ユーザは、画像形成装置１の装置本体まで行かずに、例えば自席で、進捗状況を確認することができるようになる。
【００４６】
ここで、上記では、液晶モニタ７１０が取り外し可能に設けられるとともに、液晶モニタ７１０が取り外された場合に、この液晶モニタ７１０上に通常画面とともにハードキー画像が表示される場合を説明した。ところで、ハードキー画像は、チルト機構などによって液晶モニタ７１０が傾けられる態様においても表示することができる。より具体的には、液晶モニタ７１０が傾けられたことを検知する検知センサ（不図示）を設けておき、液晶モニタが予め定められた角度を超えて傾けられた場合に、ハードキー画像を表示することができる。
【００４７】
ここで、液晶モニタ７１０に当たる光の入射角度によって表示画面が見にくい場合もあり、液晶モニタ７１０の角度を変えることができれば、表示画面が見やすくなる。また、液晶モニタ７１０が鉛直方向に沿うように液晶モニタ７１０が変位する場合や、液晶モニタ７１０の変位がさらに行われ液晶モニタ７１０の表示面が下方を向くように液晶モニタ７１０が変位する場合、下方側から液晶モニタ７１０における表示を確認することができるようになる。このような場合、車いすを利用するユーザにとっては画面が見やすいものとなる。このように液晶モニタ７１０が傾き変位する場合にも、液晶モニタ７１０上にハードキー画像を表示すれば、ユーザは、画像形成装置１に対する情報の入力を行いやすくなる。
【００４８】
また、図８（ＵＩ７００の他の構成例を示した図）に示すように、画像形成装置１の装置本体には、上記液晶モニタ７１０に加え第２の表示装置として機能する第２液晶モニタ７９０を設けてもよい。上記のとおり、画像形成装置１では、画像形成装置１の前にユーザが待機し、画像形成装置１からの用紙の排出を待つ場合がある。また、この際、液晶モニタ７１０が他のユーザにより取り外され、他のユーザによる情報の入力が行われることがある。
【００４９】
ところでこのように他のユーザによって液晶モニタ７１０が取り外れてしまうと、画像形成装置１の前に待機している待機ユーザは、自身が行っているコピーなどの処理の進捗状況を把握できなくなってしまう。ここで、上記のように第２液晶モニタ７９０を設けておけば、液晶モニタ７１０が取り外されたとしても、上記待機ユーザが進捗状況を把握できるようになる。
【００５０】
なお、第２液晶モニタ７９０は、情報の表示が主な目的のため液晶モニタ７１０よりも小さくしてよい（表示面積を小さくしてよい）。また、第２液晶モニタ７９０は、図８に示すように、液晶モニタ７１０の背後に位置させておき、液晶モニタ７１０が取り外された際に現れるようにすることもできるし、図９（ＵＩ７００の他の構成例を示した図）に示すように、液晶モニタ７１０とは別の箇所に設けるようにしてもよい。
【００５１】
また、上記では説明を省略したが、液晶モニタ７１０が取り外されているときになされたハードキー７５０に対するユーザの操作については受け付けない処理（装置本体側のハードキー７５０に対するユーザの操作は無効とする処理）を行うようにしてもよい。付言すると、液晶モニタ７１０が取り付けられているときにハードキー７５０に対するユーザの操作があった場合は、処理手段としての機能する制御部５００により画像形成動作などの予め定められた処理が実行されるが、液晶モニタ７１０が取り外されているときにハードキー７５０に対するユーザの操作があった場合は、この予め定められた処理が行われない構成とすることができる。
【００５２】
また、その一方で、液晶モニタ７１０が取り外されている状態にてなされたハードキー７５０に対する操作を受けつけるようにしてもよい。なお、このような処理を行う場合、装置本体側のハードキー７５０に対する操作は、画像形成装置１にてそのときに行われている処理（以下、「実施中処理」と称する）に対するユーザからの指示として受け付け、また、液晶モニタ７１０に対する操作は、この実施中処理の次に行われる予定の処理（実施中処理以外の処理）に対するユーザからの指示として受けつけることが好ましい。
【００５３】
ここで、液晶モニタ７１０を介しユーザにより入力された指示を実施中処理に対する指示として受けつけてしまうと、実施中処理の中断や中止など、この実施中処理を行っているユーザの意に反した処理がなされるおそれがある。例えば、上記のように、画像形成装置１の前に待機ユーザが待機する一方で、液晶モニタ７１０が他のユーザにより取り外され、この他のユーザにより液晶モニタ７１０が操作される場合がある。このような場合において、液晶モニタ７１０にて行われた指示を実施中処理に対する指示として受け付ける構成となっていると、例えば、ハードキー画像に含まれるストップボタンが押された際に上記実施中処理が中断してしまう。
【００５４】
また、例えば、ストップボタンなど実施中処理に影響を与えうる押圧ボタンについては、液晶モニタ７１０（ハードキー画像）に表示されないようにしたり、表示は行うもののこの表示した押圧ボタンに対する操作（入力）は受け付けないようにしたりしてもよい。また、例えば、実施中処理が実行されている際には、液晶モニタ７１０に対する操作（液晶モニタ７１０における入力）を一切受け付けない処理を行うこともできる。
【００５５】
なお、チルト機構などにより液晶モニタ７１０が傾けられる構成の場合は、液晶モニタ７１０が傾けられたことを検知する検知センサ（不図示）を設けておき、液晶モニタが予め定められた角度を超えて傾けられた場合に、ハードキー画像を表示することが好ましい。具体的に説明すると、図１０（図１における矢印Ｘ方向から画像形成装置１を眺めた場合の図）に示すように、装置本体の外表面７２と液晶モニタ７１０とのなす角度Ａが予め定められた角度を超えた場合に、ハードキー画像を表示することが好ましい。
【００５６】
液晶モニタ７１０が少しでも傾いた際に一律にハードキー画像が表示される構成であると、ＵＩ７００において、ハードキー画像とハードキー７５０とが並んだ状態で配置されてしまう。付言すると、ユーザの視界の中に、ハードキー画像とハードキー７５０の２つが入るようになる。このような場合、同じ機能を有するものが並ぶようになり、逆に操作を行いにくくなってしまう。一方、液晶モニタ７１０の角度が予め定められた角度を超えた場合にハードキー画像が表示される構成とすると、ハードキー画像とハードキー７５０とが並ぶことが起きにくくなる。
【００５７】
また、上記では、液晶モニタ７１０が取り外された際や液晶モニタ７１０が傾けられた際、一律に、ハードキー画像を表示する場合を説明したが、ハードキー画像を表示するか否かの問い合わせを例えば液晶モニタ７１０を介してユーザに対して行い、ユーザからの許可がある場合に、ハードキー画像を表示するようにしてもよい。付言すると、ハードキー画像を表示するか否かをユーザに選択させる構成とすることができる。ユーザによっては、液晶モニタ７１０の表示画面がハードキー画像の表示により狭まることを嫌うことがあり、選択可能な構成としておけば、このように画面が狭まることを防ぐことができるようになる。
また、上記では、画像形成装置１を一例に説明したが、上記にて説明した構成および処理は、装置本体から表示装置を取り外すことができる他の電子機器にも適用できる。
【符号の説明】
【００５８】
１…画像形成装置、５００…制御部、７１０…液晶モニタ、７５０…ハードキー、７９０…第２液晶モニタ、ＳＥ…検知センサ
【図１】
2014017546.tif 000003
【図２】
2014017546.tif 000004
【図３】
2014017546.tif 000005
【図４】
2014017546.tif 000006
【図５】
2014017546.tif 000007
【図６】
2014017546.tif 000008
【図７】
2014017546.tif 000009
【図８】
2014017546.tif 000010
【図９】
2014017546.tif 000011
【図１０】
2014017546.tif 000012